(57)【要約】【課題】ユーザの使用状況を考慮して、最適な仕様の設定に変更して利便性の向上を図る移動通信端末等を提供することを目的とする。【解決手段】端末１００のモードを設定するモード設定手段ＭＤと、端末１００の位置を検出するＧＰＳ１１３と、端末１００に対する接触を検出するタッチセンサ１０５を有し、前記ＧＰＳ１１３が検出した位置の経時変化より端末１００の移動速度を算出し、前記モード設定手段ＭＤは前記移動速度と前記タッチセンサ１０５の検出による接触に基づいて端末１００のモードを変更することを特徴とする。端末１００の使用中において、前記移動速度が閾値以上であり、前記タッチセンサ１０５が当該端末１００に対する接触を検出しない場合、前記モード設定手段ＭＤは、バックライト１０６の照明を継続するカーモードに設定する。【選択図】図３
2007259277.tif 000002
【特許請求の範囲】
【請求項１】
移動通信端末のモードを設定するモード設定手段と、
移動通信端末の位置を検出する位置検出手段と、
移動通信端末に対する接触を検出する接触検出手段を有し、
前記位置検出手段が検出した位置の経時変化より移動通信端末の移動速度を算出し、
前記モード設定手段は前記移動速度と前記接触検出手段の検出による接触に基づいて移動通信端末のモードを変更することを特徴とする移動通信端末。
【請求項２】
前記移動通信端末の使用中において、前記移動速度が閾値以上であり、前記接触検出手段が当該移動通信端末に対する接触を検出しない場合、前記モード設定手段は、当該移動通信端末の照明を継続するモードに設定することを特徴とする請求項１に記載の移動通信端末。
【請求項３】
前記閾値を変更可能とすることを特徴とする請求項２に記載の移動通信端末。
【請求項４】
移動通信端末のモードを設定するモード設定手段及び移動通信端末に対する接触を検出する接触検出手段を有する移動通信端末と、
移動通信端末の位置を検出する位置検出手段を有し、当該位置の経時変化より移動通信端末の移動速度を算出するサーバを有して構成されるネットワークシステムにおいて、
前記移動通信端末は、前記モード設定手段により、前記移動速度と前記接触検出手段の検出による接触に基づいて移動通信端末のモードを変更することを特徴とするネットワークシステム。
【請求項５】
移動通信端末に対する接触を検出する検出工程と、
移動通信端末の位置を検出し、当該移動通信端末の移動速度を算出する算出工程と、
前記移動速度と前記接触に基づいて移動通信端末のモードを変更することを特徴とする移動通信端末の設定変更方法。
【請求項６】
コンピュータに、
移動通信端末のモードを設定するモード設定手段と、
移動通信端末の位置を検出する位置検出手段と、
移動通信端末に対する接触を検出する接触検出手段として機能させ、
前記位置検出手段が検出した位置の経時変化より移動通信端末の移動速度を算出させ、
前記モード設定手段に前記移動速度と前記接触検出手段の検出による接触に基づいて移動通信端末のモードを変更させることを特徴とする移動通信端末のプログラム。
【請求項７】
請求項６に記載のプログラムを記録した記録媒体。
【発明の詳細な説明】
【技術分野】
【０００１】
本発明は、状態・操作等に関する設定を自動的に変更する機能を有する移動通信端末などに関する。
【背景技術】
【０００２】
近年の移動通信端末としての携帯電話機は、未使用状態時には自動的に表示部であるLCD(Liquid Crystal Display)のバックライト、又は、LCD画面表示をオフの状態に移行させる仕様（以下、「省電力モード」という。）が用いられることが一般的となっている。しかし、携帯電話機を自動車の運転中に使用する場合には、この省電力モードは運転操作の妨げとなってしまう。つまり、運転中ではLCD画面表示は明るくして見やすくする必要があるところ、省電力モードに設定しておくと、携帯電話機を操作することが無いのでLCD画面表示は暗くなってしまう。ここで、携帯電話機を操作して表示を明るくすることは、一時的とはいえ運転操作を中断してしまうことになり危険性を伴うので、運転中では省電力モードを解除することが望ましい。
【０００３】
しかし、省電力モードは、省電力化の観点から必要とされる仕様である。また、運転中ではLCD画面表示中のベースバンドノイズによるアンテナ受信感度への劣化防止についても考慮しないといけない。そして、携帯電話機のユーザが運転を行う度に省電力モードを解除することはユーザにとって煩雑である。従って、携帯電話機において、携帯電話機の利便性の向上のために、携帯電話機の操作が行えない運転中における専用のモードを備える必要がある。
【０００４】
特許文献１は、発着信抑制モードというモードの制御を移動局の移動速度に基づいて行う発明であるが、当該制御を、単に、移動速度のみで行い、携帯電話機の操作が可能であるか否かといったユーザの使用状況を考慮したものではないため、移動局の使用における利便性に欠ける。
【特許文献１】特開２００１−２３８２６７号公報
【発明の開示】
【発明が解決しようとする課題】
【０００５】
上記事情を鑑みて、本発明では、ユーザの使用状況を考慮して、最適な仕様の設定に変更して利便性の向上を図る移動通信端末等を提供することを目的とする。
【課題を解決するための手段】
【０００６】
上記目的を達成する本発明の態様は、移動通信端末のモードを設定するモード設定手段と、移動通信端末の位置を検出する位置検出手段と、移動通信端末に対する接触を検出する接触検出手段を有し、前記位置検出手段が検出した位置の経時変化より移動通信端末の移動速度を算出し、前記モード設定手段は前記移動速度と前記接触検出手段の検出による接触に基づいて移動通信端末のモードを変更することを特徴とする移動通信端末に関するものである。
【０００７】
前記移動通信端末の使用中において、前記移動速度が閾値以上であり、前記接触検出手段が当該移動通信端末に対する接触を検出しない場合、前記モード設定手段は、当該移動通信端末の照明を継続するモードに設定することを特徴とする。そして、前記閾値を変更可能とすることを特徴とする。
【０００８】
本発明の態様は、移動通信端末のモードを設定するモード設定手段及び移動通信端末に対する接触を検出する接触検出手段を有する移動通信端末と、移動通信端末の位置を検出する位置検出手段を有し、当該位置の経時変化より移動通信端末の移動速度を算出するサーバを有して構成されるネットワークシステムにおいて、前記移動通信端末は、前記モード設定手段により、前記移動速度と前記接触検出手段の検出による接触に基づいて移動通信端末のモードを変更することを特徴とするネットワークシステムに関するものである。
【０００９】
また、本発明の他の態様は、移動通信端末に対する接触を検出する検出工程と、移動通信端末の位置を検出し、当該移動通信端末の移動速度を算出する算出工程と、前記移動速度と前記接触に基づいて移動通信端末のモードを変更することを特徴とする移動通信端末の設定変更方法に関するものである。
【００１０】
また、本発明の他の態様は、コンピュータに、移動通信端末のモードを設定するモード設定手段と、移動通信端末の位置を検出する位置検出手段と、移動通信端末に対する接触を検出する接触検出手段として機能させ、前記位置検出手段が検出した位置の経時変化より移動通信端末の移動速度を算出させ、前記モード設定手段に前記移動速度と前記接触検出手段の検出による接触に基づいて移動通信端末のモードを変更させることを特徴とする移動通信端末のプログラムに関するものである。
【００１１】
また、本発明の他の態様は、上記プログラムを記録した記録媒体に関するものである。
【発明の効果】
【００１２】
本発明の移動通信端末は、ユーザの使用状況（移動通信端末に触れていることにより移動通信端末の操作が可能であるか否か、移動速度から乗り物等に乗っているか否か等）を検出して、最適な仕様の設定に変更するので、ユーザ自身が設定することも無いので、利便性を向上することができる。
【発明を実施するための最良の形態】
【００１３】
以下、携帯電話機に代表される本発明の移動通信端末（以下、単に「端末」と呼ぶ。）を実施するための最良の形態について説明する。説明する際には、本明細書と同時に提出する図面を適宜参照することにする。
【００１４】
〈構成〉
図１は、一般的な形状の標準的な折りたたみ型の携帯電話機としての端末１００の外観を図示したものであり、ＧＰＳ(Grobal Positioning System)が内蔵されているものとする。端末１００の上部筐体には、ＬＣＤで構成される表示部１０１、通話相手の音声を出力するスピーカ１０２が備えられている。端末１００の下部筐体には、文字・数字等を入力する入力部１０３、通話時に自分の音声を入力するマイク１０４、端末１００を手にとって使用するときに、指の接触を検出するタッチセンサ１０５を有して構成されている。
【００１５】
図２は、端末１００を有して構成されるネットワークシステムの構成を図示したものであり、端末１００から生じる電波を受信して端末１００の位置を測位するＧＰＳ通信衛星２００、ＧＰＳ通信衛星２００と他の通信端末、他のネットワークとの情報の送受信を中継するＧＰＳネットワーク３００、通信端末同士の情報の送受信を中継するモバイルネットワーク４００、端末１００に対して所定の命令を行うサーバ５００を有して構成されている。
【００１６】
図３は、端末１００の内部のブロック構成を図示したものである。上述の表示部１０１、スピーカ１０２、入力部１０３、マイク１０４、タッチセンサ１０５の他に、バックライト１０６、ＣＰＵ(Central Processing Unit)１０７、ＲＯＭ(Read Only Memory)１０８、主記憶部１０９、ＲＡＭ(Random Access Memory)１１０、無線部１１１、無線部１１１のアンテナ１１２、ＧＰＳ１１３、ＧＰＳ１１３用のアンテナ１１４を有して構成されている。
【００１７】
バックライト１０６は表示部１０１を背後から照射し、表示部１０１の視覚性を向上させる機能を有する。
【００１８】
ＣＰＵ１０７は各部における情報の送受信を中央処理制御する素子である。ＲＯＭ１０８はＣＰＵ１０７が中央処理制御を行うときに読み出すプログラムを記録した記録媒体である。このＣＰＵ１０７は、端末１００がとりうるモードを外部の入力に応じて設定するモード設定手段ＭＤとして機能する。設定の変更を自動で行う自動設定変更機能も有する。
【００１９】
主記憶部１０９はテキストデータ、画像データ等のデータを記憶する記憶素子である。ＲＡＭ１１０はＣＰＵ１０が一時的にデータを展開して中央処理制御を行うときの作業用の記憶素子である。
【００２０】
無線部１１１はモバイルネットワーク４００を介してサーバ５００等の情報処理装置と無線通信を行う機能を有する。ＧＰＳ１１３はＧＰＳネットワーク３００を介してＧＰＳ通信衛星２００と無線通信を行う機能を有する。
【００２１】
モード設定手段ＭＤが設定できるモードには、上述の省電力モードの他に、いわゆるマナーモード、そして、本形態特有のカーモードが含まれる。カーモードとは、端末１００のユーザが自動車の運転中のときに設定されるモードである。本形態のカーモードは運転中において端末１００が使用状態にあるときに、ユーザが特に端末１００を手に取ることが無くとも、省電力モードを解除する機能を有する。なお、省電力モードはバックライト１０６の照明を停止して表示部１０１の視認性を向上させるモードである。
【００２２】
通常は、省電力モードを解除するためにはユーザが端末１００を用いて入力部１０３より何らかの操作を行う必要がある。しかし、運転中において表示部１０１を見たいと思いは省電力モードを解除すべく何らかの操作を行うと、運転が妨げられてしまう。そこで、運転中にはカーモードに設定されるようにすれば、一部の未使用状態を除いて特に操作をおこなわなくても表示部１０１を見るべくバックライト１０６の照明を行うことができる。ここで、上記の一部の未使用状態とは、主に、電源がオフの状態、または折りたたみ型携帯電話機において電源オンで折りたたんだ状態のことをいう。結果として、端末１００の操作による運転の妨げを解消できる。
【００２３】
ただ、このカーモードは運転中において自動的に設定されるようにしないと、ユーザがいちいち設定を行わなければならず煩雑である。そこで、本形態の端末１００はユーザが運転中であることを検出してカーモードに自動的に切り替わるように制御する。具体的には、ＧＰＳ１１３が端末１００の位置をＧＰＳ通信衛星２００より受信した電波より検出してＧＰＳ１１３が検出した位置の経時変化から端末１００の移動速度（つまり、運転中の車の移動速度に相当する。）を算出し、また、タッチセンサ１０５が、ユーザが端末１００を手に取ったときの指の接触の有無を検出する。もし、端末１００が使用状態にあり、端末１００の移動速度が閾値以上であり、タッチセンサ１０５からの接触が無ければ、ユーザが運転中であるために端末１００の操作を行うことができない状況であると判断して、モード設定手段ＭＤによって自動的にカーモードに設定される。なお、上記閾値は入力部１０３により設定することができる。
【００２４】
〈動作〉
次に、自動設定変更処理がなされるときの動作処理の具体的な内容について説明する。図４は、自動設定変更処理がなされるときの動作処理をフローチャートとして図示したものである。
【００２５】
端末１００の初期状態は、電源ＯＮで待ち受け状態、通話状態のいずれかであり、手動操作にて自動設定変更機能をＯＮとした状態とする。ＧＰＳ通信衛星２００が端末１００の時刻t(n)における位置p(n)を測位(nは整数)する（Ｓ０１）。ＧＰＳ通信衛星２００から端末１００へ位置座標p(n)、時刻t(n)を送信する（Ｓ０２）。端末１００にて受信後、主記憶部１０６にて格納処理を行う（Ｓ０３）。ここで、t(n-1)におけるp(n-1)の情報が主記憶部１０６に格納されているかどうか確認する（Ｓ０４）。
【００２６】
もし、あれば（Ｓ０４でＹｅｓ）、主記憶部１０６から時刻t(n)、t(n-1)の位置座標p(n)、p(n-1)の情報を読み出し（Ｓ０５）、端末１００が移動速度Ｓを計算する（ここで、Ｓは、Ｓ=(p(n)-p(n-1))/(t(n)-t(n-1))と表される）（Ｓ０６）。続いて、予め設定されている自動設定変更用の閾値ｍと移動速度Ｓを比較する（Ｓ０７）。
【００２７】
t(n-1)におけるp(n-1)の情報が主記憶部１０６に格納されていない場合は（Ｓ０４でＮｏ）、ＧＰＳ通信衛星２００は測位して次の時刻t(n+1)の位置情報p(n+1)の情報を取得する（Ｓ１０）。このあとは、Ｓ０２〜Ｓ０６までの処理と同様の処理で移動速度Ｓを求める（Ｓ１１〜Ｓ１４）。そして、予め設定していた閾値ｍと計算結果Sを比較する（Ｓ０７）。
【００２８】
Ｓ０７において、ｍ＜Ｓならばユーザの使用状態を判定した上で自動設定変更処理（設定を有効とする）を実行する（Ｓ０８）。ｍ≧Ｓならば、自動設定変更処理（設定を無効とする）を実行する(Ｓ０９)。ここで、閾値ｍの設定は複数の定数を指定したものであり、その範囲ごとに違う自動設定変更処理を設ける構成としても良い。
【００２９】
図５は、図４の自動設定変更処理の具体例としてカーモードを設定変更機能としたときの動作処理をフローチャートとして図示したものである。
【００３０】
ＧＰＳ通信衛星２００が端末１００の時刻t(1)における位置p(1)を測位する（Ｓ０１）。ＧＰＳ通信衛星２００から端末１００へ位置座標p(1)、時刻t(1)を送信する（Ｓ０２）。端末１００にて受信後、主記憶部１０６にて格納処理を行う（Ｓ０３）。ここで、t(n-1)におけるp(n-1)の情報が主記憶部１０６に格納されているかどうか確認し、この場合は無いと判断される（Ｓ０４）。
【００３１】
その後、ＧＰＳ通信衛星２００は測位して次の時刻t(2)の位置情報p(2)の情報を取得する（Ｓ０５）。ＧＰＳ通信衛星２００から端末１００へ位置座標p2、時刻t2が送信される（Ｓ０６）。端末１００にて受信後、主記憶部１０６にて格納処理が行われる（Ｓ０７）。主記憶部６から時刻t1、t2の位置座標p1、p2の情報を読み出し（Ｓ０８）、端末１００が位置移動する速さを計算する（ここで、Ｓは、Ｓ=(p(2)-p(1))/(t(2)-t(1))と表される）（Ｓ０９）。
【００３２】
算出した移動速度Ｓを予め設定していた閾値ｍと比較する（Ｓ１０）。ｍ＜Ｓならばタッチセンサ１０５への接触が無かったことを確認した上で自動設定変更処理を（カーモードを有効にする）を実行する(Ｓ１１)。ｍ≧Ｓならば、自動設定変更処理（カーモードを無効にする）を実行する（Ｓ１２）。
【００３３】
本形態を実施することにより以下の効果を奏する。即ち、端末１００に触れていることにより端末１００の操作が可能であるか否か、移動速度Ｓから自動車に乗っているか否か等といったユーザの使用状況を検出して、カーモードの設定に変更するので、ユーザ自身が設定することも無いので、利便性を向上することができる。
【００３４】
なお、上述した形態は本発明の移動通信端末を実施するための最良のものであるが、かかる実施形式に限定するものではなく、本発明の要旨を変更しない範囲内においてその実施形式を種々変形することが可能である。
【００３５】
その変形の一例について説明する。上記のように、ＧＰＳの位置情報の格納及び演算は端末１００側で処理する構成としたが、ネットワーク側におけるサーバ５００にて端末１００の位置情報を管理し、設定変更の命令を端末１００側へ送る構成も可能である。
【００３６】
図６は、自動設定変更処理がなされるときの動作処理をフローチャートとして図示したものである。端末１００の初期状態は、電源ＯＮで待ち受け状態、通話状態のいずれかであり、手動操作にて自動設定変更機能をＯＮとした状態とする。
【００３７】
ＧＰＳ通信衛星２００が端末１００の時刻t(n)における位置p(n)を測位(nは整数)する（Ｓ０１）。ＧＰＳ通信衛星２００からサーバ５００へ位置座標p(n)、時刻t(n)を送信する（Ｓ０２）。サーバ５００にて受信後、その主記憶部にて格納処理を行う（Ｓ０３）。ここで、t(n-1)におけるp(n-1)の情報が主記憶部に格納されているかどうか確認する（Ｓ０４）。
【００３８】
もし、あれば（Ｓ０４でＹｅｓ）、主記憶部から時刻t(n)、t(n-1)の位置座標p(n)、p(n-1)の情報を読み出し（Ｓ０５）、サーバ５００が移動速度Ｓを計算する（ここで、Ｓは、Ｓ=(p(n)-p(n-1))/(t(n)-t(n-1))と表される）（Ｓ０６）。続いて、予め設定されている自動設定変更用の閾値ｍと移動速度Ｓを比較する（Ｓ０７）。格納されていない場合は（Ｓ０４でＮｏ）、次の時刻t(n+1)の位置情報p(n+1)の情報が取得されていく。
【００３９】
サーバ５００において、ｍ＜Ｓならば自動設定変更処理（設定を有効とする）を端末１００に命令する（Ｓ０８）。ｍ≧Ｓならば、自動設定変更処理（設定を無効とする）を端末１００に命令する(Ｓ０９)。
【００４０】
端末１００では、サーバ５００の命令を受信した後、自動設定変更モードがＯＮになっているかを確認する（Ｓ１０、Ｓ１１）。ＯＮになっていれば（Ｓ１０でＹｅｓ、Ｓ１１でＹｅｓ）それぞれについて、ユーザの使用状態を判定した上で、端末１００の自動設定変更処理（設定無効にする）実行し（Ｓ１２）、又は、端末１００の自動設定変更処理（設定有効にする）を実行する（Ｓ１３）。自動設定モード機能がオフの場合は（Ｓ１０でＮｏ、Ｓ１１でＮｏ）、いずれの自動設定変更処理も行わない。このような動作処理を行うことにより端末１００の負荷を低減することができる。
【００４１】
また、他の変形例として、自動変更できる設定をカーモードとするのみならず、自動的にマナーモードに移行する構成としても良い。
【産業上の利用可能性】
【００４２】
携帯電話機（Personal Handyphone System）、ＰＤＡ（Personal Data Assistance，Personal Digital Assistants：個人向け携帯型情報通信機器）等に本発明を適用することが可能である。
【図面の簡単な説明】
【００４３】
【図１】端末１００の外観を図示したものである。
【図２】端末１００を有して構成されるネットワークシステムの構成を図示したものである。
【図３】端末１００の内部のブロック構成を図示したものである。
【図４】自動設定変更処理がなされるときの動作処理をフローチャートとして図示したものである。
【図５】カーモードを設定変更機能としたときの動作処理をフローチャートとして図示したものである。
【図６】自動設定変更処理がなされるときの動作処理をフローチャートとして図示したものである。
【符号の説明】
【００４４】
１００    端末
１０１    表示部
１０２    スピーカ
１０３    入力部
１０５    タッチセンサ
１０６    バックライト
１１３    ＧＰＳ
ＭＤ    モード設定手段
２００    ＧＰＳ通信衛星
【図１】
2007259277.tif 000003
【図２】
2007259277.tif 000004
【図３】
2007259277.tif 000005
【図４】
2007259277.tif 000006
【図５】
2007259277.tif 000007
【図６】
2007259277.tif 000008